(57)【要約】      （修正有）【課題】圧力をコントロールした加熱調理が可能で、製造コスト及び管理の煩わしさもない、電子レンジ調理用容器を提供する。【解決手段】容器本体１ａ、蓋体２ａ、及びキャップ３ａからなる電子レンジ調理用システム容器１０ａで、本体容器１ａは、上部に本体嵌合部を具え、蓋体２ａは、下部に蓋体下部嵌合部、上部に蓋体凹部を具え、蓋体凹部は、中心に蓋体開口部２６ａ、側面に蓋体上部嵌合部及び蒸気排出溝２７ａを具え、キャップ３ａは、側面にキャップ嵌合部を具え、本体嵌合部と蓋体下部嵌合部、蓋体上部嵌合部とキャップ嵌合部がそれぞれ嵌合一体化され、蓋体開口部２６ａ及び蓋体蒸気排出溝２７ａにより、容器内の蒸気の排出が行なわれる。容器本体１ａと蓋体２ａがヒンジ４ａにより、且つ、容器本体１ａ又は蓋体２ａとキャップ３ａが帯状体５ａによって一体化されている。圧力調整機構を具えているため、圧力をかけた調理が可能であり、一体成形され部品数も一点であることから、製造コストも低減でき、保管も簡便となる。【選択図】図１
0003143721.tif 000002
【実用新案登録請求の範囲】
【請求項１】
容器本体、蓋体、及びキャップからなる電子レンジ調理用システム容器であって、前記容器本体は、上部に本体嵌合部を具え、前記蓋体は、下部に蓋体下部嵌合部、上部に蓋体凹部を具え、前記蓋体凹部は、中心に蓋体開口部、側面に蓋体上部嵌合部及び蒸気排出溝を具え、前記キャップは、側面にキャップ嵌合部を具え、前記本体嵌合部と蓋体下部嵌合部、前記蓋体上部嵌合部とキャップ嵌合部がそれぞれ嵌合一体化され、前記蓋体開口部及び蓋体蒸気排出溝により、容器内の蒸気の排出が行なわれる電子レンジ調理用システム容器において、
前記容器本体と蓋体がヒンジにより、且つ、前記容器本体又は蓋体とキャップが帯状体によって一体化されていることを特徴とする、
電子レンジ調理用容器。
【請求項２】
前記ヒンジ及び／又は帯状体にミシン目又は長孔を具えた、請求項１の電子レンジ調理用容器。
【請求項３】
前記ミシン目又は長孔の端部につまみを具えた、請求項１又は２の電子レンジ調理用容器。
【考案の詳細な説明】
【技術分野】
【０００１】
本考案は、生鮮食品や冷凍食品や総菜等の各種食材を電子レンジにより加熱調理する容器に関する。
【背景技術】
【０００２】
従来の電子レンジ調理用容器としては、冷凍食品や調理済み惣菜等を温め直すことを目的とした特許文献１及び２の容器や、電子レンジで生の食材を加熱調理することのできる特許文献３の容器がある。
【特許文献１】特開２００７−３０２２８６号公報
【特許文献２】実用新案登録第３１２６７１９号公報
【特許文献３】特許第３９６２３７７号公報
【考案の開示】
【考案が解決しようとする課題】
【０００３】
上記特許文献１及び２の容器では、食材を温め直すことはできても、生の食材に圧力をかける加熱調理や、蒸す調理をすることは難しい。一方、特許文献３の容器では、蒸気を適宜排出しつつ、圧力をかける調理をすることはできるものの、部品点数が多いため、製造コストがかかり、部品が紛失し易いという問題がある。
【０００４】
そこで、圧力をコントロールした加熱調理が可能で、製造コスト及び管理の煩わしさもない、電子レンジ調理用容器が必要とされている。
【課題を解決するための手段】
【０００５】
本考案は、容器本体、蓋体、及びキャップからなる電子レンジ調理用システム容器であって、前記本体容器は、上部に本体嵌合部を具え、前記蓋体は、下部に蓋体下部嵌合部、上部に蓋体凹部を具え、前記蓋体凹部は、中心に蓋体開口部、側面に蓋体上部嵌合部及び蒸気排出溝を具え、前記キャップは、側面にキャップ嵌合部を具え、前記本体嵌合部と蓋体下部嵌合部、前記蓋体上部嵌合部とキャップ嵌合部がそれぞれ嵌合一体化され、前記蓋体開口部及び蓋体蒸気排出溝により、容器内の蒸気の排出が行なわれる電子レンジ調理用システム容器において、
前記容器本体と蓋体がヒンジにより、且つ、前記容器本体又は蓋体とキャップが帯状体によって一体化されていることを特徴とする電子レンジ調理用容器によって、前記の課題を解決した。
【考案の効果】
【０００６】
本考案によれば、容器本体、蓋体、キャップが一体となっているため、圧空成形や真空成形等のサーモフォーミング法により一体成形することができ、部品数も一点であることから、部品紛失の恐れがなく、保管も簡便となる。
また、圧力調整機構を設けた容器本体、蓋体、及びキャップであるため、食材に圧力をかけた調理が可能である。
【考案を実施するための最良の形態】
【０００７】
以下、本考案の実施形態について、図面を参照しながら説明する。
【実施形態１】
【０００８】
本考案の第１実施形態について、図１、図４及び図５を参照して説明する。
図１（Ａ）は本考案の第１実施形態の容器の開いた状態の平面図、（Ｂ）は（Ａ）の正面図、図４は、本考案の容器の嵌合状態における要部縦断面図、図５の（Ａ）は図４で示したＤ部におけるキャップの上昇状態の拡大縦断面図、（Ｂ）は同じく図４で示したＤ部のキャップの下降状態の拡大縦断面図、（Ｃ）は図４で示したＥ部の蓋体の上昇状態の拡大縦断面図、（Ｄ）は同じく図４で示したＥ部の蓋体の下降状態の拡大縦断面図である。
【０００９】
図１に示すように、本実施形態の容器１０ａは、容器本体１ａ、蓋体２ａ、キャップ３ａと、容器本体１ａと蓋体２ａをつなぐヒンジ４ａ及び容器本体１ａとキャップ３ａをつなぐ帯状体５ａからなる。
【００１０】
容器本体１ａは、仕切り用リブ１６ａにより分割された食材収納部１１ａと本体嵌合部１５ａを具え、蓋体２ａは、外周部に蓋体下部嵌合部２５ａ、上部の凹部中心に蓋体開口部２６ａ、側面に蒸気排出溝２７ａ及び蓋体上部嵌合部２８ａを具え、キャップ３ａは、側面にキャップ嵌合部３８ａを具え、本体嵌合部１５ａと蓋体下部嵌合部２５ａ、蓋体上部嵌合部２８ａとキャップ嵌合部３８ａが嵌合一体化されて使用される。
また、容器本体１ａ、蓋体２ａ、キャップ３ａには、夫々つまみ１９ａ、２９ａ、３９ａが設けられている。
容器本体１ａには、図１（Ａ）のような、仕切り用リブ１６ａより高さが低いリブ１７ａを、焼き鳥のような食材の油を切って溜めるために設けることもできる。
【００１１】
容器本体１ａ及び蓋体２ａの外周には、上下に対向する当て付け面１２ａ及び２２ａ、その当て付け面から立上がる嵌合側面１３ａ及び２３ａに、上下に、互い違いに側方に向いて設けられた凸部、嵌合側面から外周側へ延びたフランジ１４ａ及び２４ａが設けられている。
図５に示すように、この本体嵌合部１５ａの凸部が蓋体下部嵌合部２５ａの凸部と嵌合することにより、本体容器１ａと蓋体２ａが容易に外れないようになっている。また、両凸部の間に若干隙間を設けておくことにより、電子レンジ調理の際に急激に膨張した蒸気の圧力をキャップの圧力調整機構のみで受けるのではなく、本体容器及び蓋体の嵌合部１５ａ及び２５ａにおいても一時的に受けることができる（図５（Ｃ）及び（Ｄ）参照）。
【００１２】
また、蓋体２ａの上部の凹部には、蓋体開口部２６ａ、蒸気排出溝２７ａ、蓋体上部嵌合部２８ａが設けられ、キャップ３ａの嵌合部３８ａと嵌合するようになっている。
キャップ３ａは、容器内部の蒸気圧が高まると、図５（Ａ）の状態になり、蓋体開口部２６ａから出てきた蒸気が蒸気排出溝２７ａを通り、蓋体上面２１ａとキャップフランジ３１ａ間を通って放出される。
その後、内部の圧力が低下すると、図５（Ｂ）の状態になって、蒸気の放出が止まり、密閉状態へと戻る。
【００１３】
本実施形態では、嵌合すると上記のような圧力調整機能を有する、容器本体１ａ、蓋体２ａ、キャップ３ａを、容器本体１ａと蓋体２ａのフランジ１４ａ及び２４ａを延長するようにして設けられたヒンジ４ａと、容器本体１ａのフランジ１４ａの一部を延長するように設けられた帯状体５ａにより、すべてを一体化した。
【００１４】
これにより、従来どおり圧力をかけた調理を行えるにも拘らず、取扱いが簡便となり、一体成形により製造コストも低減することが可能になる。
また、蓋体２ａの上に被せるように帯状体５ａが設けられていることから、蓋体２ａが不用意に開いた場合でも、容器内の食材が飛出さなくて済む。
調理後においても、容器を開けるためには、まずキャップ３ａを開けなければならないため、それにより容器内部にある蒸気を逃がすことができ、容器をそのまま開けてしまう場合による火傷の防止にも役立つ。
【実施形態２】
【００１５】
次に、図２を参照して、第２実施形態を、第１実施形態と異なる部分のみ説明する。
図２（Ａ）は本考案の第２実施形態の容器の開いた状態の平面図、（Ｂ）は（Ａ）の正面図である。
【００１６】
第１実施形態では、帯状体を容器本体側に設けたが、本実施形態の容器１０ｂでは、蓋体２ｂ側に設けている。
【００１７】
蓋体２ｂのフランジ２４ｂの一部を延長するように帯状体５ｂを設けることにより、帯状体５ｂの長さを第１実施形態の帯状体より若干短くすることができる。
また、第１実施形態では、まずキャップを開けてからでなければ容器を開けることができなかったが、本実施形態では、キャップ３ｂを開けなくとも容器を開けることができる。
【実施形態３】
【００１８】
次に、図３を参照して、第３実施形態を、第１実施形態と異なる部分のみ説明する。
図３（Ａ）は本考案の第３実施形態の容器の開いた状態の平面図、（Ｂ）は（Ａ）の正面図である。
【００１９】
図３が示すように、電子レンジ調理用容器１０ｃのヒンジ部分４ｃにはミシン目又は長孔４１と、その端部につまみ４９が、帯状体５ｃにはミシン目又は長孔５１が設けられている。
【００２０】
ミシン目又は長孔４１及び５１を設けることにより、調理前又は調理後に、容器本体、蓋体、キャップをそれぞれ切離すことができる。
【００２１】
また、つまみ４９を掴んでミシン目又は長孔４１側へと引張ることにより、必要な場合には、蓋体２ｃを容器本体１ｃから容易に切離すことができる。
調理後に、容器本体１ｃと蓋体２ｃをそれぞれ手に持ってヒンジ部分４ｃから切離すと火傷等の危険があるが、このようなつまみ４９を設けることにより、この危険をなくすことができる。
【００２２】
本実施形態は、第１実施形態の容器を用いて説明しているが、当然、第２実施形態の容器でも使用することができる。
ミシン目又は長孔４１及び５１は一列でも複数列でもよく、ヒンジ又は帯状体のどちらか一方のみに設けても構わない。また、つまみ４９も両端ではなく一端のみ又は設けないようにしても構わない。
【００２３】
なお、本考案は容器の形状や仕切り用リブ等の本数、通気部の形状・個数等は図示してあるものに限定されないことは言うまでもない。
【図面の簡単な説明】
【００２４】
【図１】（Ａ）は本考案の第１実施形態の容器の開いた状態の平面図、（Ｂ）は（Ａ）の正面図。
【図２】（Ａ）は本考案の第２実施形態の容器の開いた状態の平面図、（Ｂ）は（Ａ）の正面図。
【図３】（Ａ）は本考案の第３実施形態の容器の開いた状態の平面図、（Ｂ）は（Ａ）の正面図。
【図４】本考案の容器の嵌合状態における要部縦断面図。
【図５】（Ａ）は本考案の容器におけるキャップの上昇状態の拡大縦断面図、（Ｂ）はキャップの下降状態の拡大縦断面図、（Ｃ）は蓋体の上昇状態の拡大縦断面図、（Ｄ）は蓋体の下降状態の拡大縦断面図。
【符号の説明】
【００２５】
１：        容器本体
１１：    収納部
１２：    当て付け面
１３：    容器本体嵌合側面
１４：    フランジ
１５：    容器本体嵌合部
１６：    仕切り用リブ
１７：    リブ
１９：    つまみ
２：        蓋体
２１：    蓋体上面
２２：    当て付け面
２３：    蓋体嵌合側面
２４：    フランジ
２５：    蓋体下部嵌合部
２６：    蓋体開口部
２７：    蓋体蒸気排出溝
２８：    蓋体上部嵌合部
２９：    つまみ
３：        キャップ
３１：    フランジ
３８：    キャップ嵌合部
３９：    つまみ
４：        ヒンジ
４１：    ミシン目又は長孔
４９：    つまみ
５：        帯状体
５１：    ミシン目又は長孔
１０：      容器本体
【図１】
0003143721.tif 000003
【図２】
0003143721.tif 000004
【図３】
0003143721.tif 000005
【図４】
0003143721.tif 000006
【図５】
0003143721.tif 000007